(57)【要約】【課題】可変形状ミラーを備えた光学系が内蔵された撮像機器に対して適切な通電制御を行うことにより、更に低消費電力化を図れるようにした撮像機器及びその制御方法並びに光学ファインダを提供する。【解決手段】自由曲面レンズ２に対向配置した第１及び第２の可変形状ミラーＡ．Ｂからなる撮影用光学系３と、撮像素子４と、可変形状ミラーＡ，Ｂを駆動する第１及び第２のミラードライバ５，６とで構成した撮影部１と、対物レンズ１２と第３及び第４の可変形状ミラーＣ，Ｄとダハプリズム１４と接眼レンズ１５とからなるファインダ光学系１６と、可変形状ミラーＣ，Ｄを駆動する第３及び第４のミラードライバ１６，１７とで構成したファインダ部１とを備え、各光学系の各可変形状ミラーＡ〜Ｄへは、撮影モード以外には通電しないようにすると共に、通電のタイミングが重ならないように制御して、ピーク電流の低減により電池寿命の増加を図る。【選択図】　　　　図１
2004126086.tif 000002
【特許請求の範囲】
【請求項１】
画像撮影用の撮像機器において、撮影画像視認用の光学ファインダと、通電によって変形する反射面を有し、該反射面の形状変化によって前記光学ファインダの光学調整を行う可変形状ミラーと、前記撮像機器の動作モードが特定のモードに設定されているときに、前記可変形状ミラーへ通電するように制御する制御手段とを備えたことを特徴とする撮像機器。
【請求項２】
前記制御手段は、前記撮像機器の動作モードが撮影モードに設定されているときには、所定の指示に応じて前記可変形状ミラーへ通電するように制御することを特徴とする請求項１に係る撮像機器。
【請求項３】
前記制御手段は、当該撮像機器の動作モードが画像表示手段へスルー画像を表示するスルー画像表示モードに設定されているときには、前記可変形状ミラーへ通電しないように制御することを特徴とする請求項１に係る撮像機器。
【請求項４】
前記可変形状ミラーは、前記光学ファインダの光学系の一部を構成していることを特徴とする請求項１〜３のいずれか１項に係る撮像機器。
【請求項５】
前記可変形状ミラーは、前記光学ファインダの変倍比を調整するものであることを特徴とする請求項１〜４のいずれか１項に係る撮像機器。
【請求項６】
前記可変形状ミラーは、前記光学ファインダのピントを調整するものであることを特徴とする請求項１〜５のいずれか１項に係る撮像機器。
【請求項７】
前記可変形状ミラーは、前記光学ファインダの視度を調整するものであることを特徴とする請求項１〜６のいずれか１項に係る撮像機器。
【請求項８】
前記可変形状ミラーは、複数個で光学ファインダの光学調整を行うように構成されていることを特徴とする請求項１〜７のいずれか１項に係る撮像機器。
【請求項９】
画像撮影用の撮像機器の制御方法において、通電による反射面の変形によって光学ファインダの光学調整を行う可変形状ミラーへの通電を、当該撮像機器の動作モードが特定のモードに設定されているときに行うようにしたことを特徴とする撮像機器の制御方法。
【請求項１０】
画像を撮影する撮影手段と、通電によって変形する反射面を有し、該反射面の形状変化によって前記撮影手段の光学調整を行う撮影手段用の可変形状ミラーと、撮影画像視認用の光学ファインダと、通電によって変形する反射面を有し、該反射面の形状変化によって前記光学ファインダの光学調整を行う光学ファインダ用の可変形状ミラーと、前記撮影手段用の可変形状ミラーと前記光学ファインダ用の可変形状ミラーへの相互の通電タイミングが重複しないように制御する制御手段とを備えたことを特徴とする撮像機器。
【請求項１１】
画像を撮影する撮影手段と、通電によって変形する反射面を有し、該反射面の形状変化によって前記撮影手段の光学調整を行う撮影手段用の可変形状ミラーと、撮影画像視認用の光学ファインダと、通電によって変形する反射面を有し、該反射面の形状変化によって前記光学ファインダの光学調整を行う光学ファインダ用の可変形状ミラーと、前記撮影手段用の可変形状ミラー及び前記光学ファインダ用の可変形状ミラーへの通電制御であって、前記各可変形状ミラーの内の少なくとも１つの可変形状ミラーへの通電を他の可変形状ミラーへの通電と重ならないように制御する制御手段を備えたことを特徴とする撮像機器。
【請求項１２】
前記制御手段は、全ての前記可変形状ミラーへのそれぞれの通電が重複しないように制御することを特徴とする請求項１１に係る撮像機器。
【請求項１３】
撮像装置の制御方法において、通電による反射面の変形によって撮像手段の光学調整を行う撮影手段用の可変形状ミラー及び通電による反射面の変形によって光学ファインダの光学調整を行う光学ファインダ用の可変形状ミラーからなる複数の可変形状ミラーに対して、該複数の可変形状ミラーの内の少なくとも１つの可変形状ミラーへの通電が他方の可変形状ミラーへの通電と重ならないように制御することを特徴とする撮像機器の制御方法。
【請求項１４】
撮像画像視認用の光学ファインダにおいて、通電によって変形する反射面を有し、該反射面の形状変化によって光学調整を行う複数の可変形状ミラーと、該複数の可変形状ミラーへの各通電期間が重複しないように通電を制御する制御手段とを備えていることを特徴とする光学ファインダ。
【請求項１５】
撮像画像視認用の光学ファインダにおいて、該光学ファインダの光学系の一部を構成し、通電によって形状変形する反射面を有し、該反射面の形状変化によって光学調整を行う光学ファインダ用の可変形状ミラーと、該可変形状ミラーの通電により変形する反射面の形状を許容範囲内の所定形状に保持するように通電を制御する制御手段とを備えたことを特徴とする光学ファインダ。
【請求項１６】
前記制御手段は、反射面の形状を許容範囲内の所定形状に保持するために、前記可変形状ミラーに所定の間隔で通電するように制御することを特徴とする請求項１５に係る光学ファインダ。
【請求項１７】
前記可変形状ミラーは複数備え、前記制御手段は、複数の前記可変形状ミラーへの各通電期間が重複しないように通電を制御することを特徴とする請求項１５又は１６に係る光学ファインダ。
【請求項１８】
画像を撮影する撮影手段と、通電によって変形する反射面を有し、該反射面の形状変化によって前記撮影手段の光学調整を行う撮影手段用の可変形状ミラーと、撮影画像視認用の光学ファインダと、通電によって変形する反射面を有し、該反射面の形状変化によって前記光学ファインダの光学調整を行う光学ファインダ用の可変形状ミラーと、前記撮影手段用の可変形状ミラー及び光学ファインダ用の可変形状ミラーへの通電を制御する制御手段とを備え、該制御手段は、前記可変形状ミラーの反射面の形状を許容範囲内の所定形状に保持するための間欠的な通電を、前記光学ファインダ用の可変形状ミラーに比べて前記撮影手段用の可変形状ミラーに対して間欠周期をより短くして繰り返すように制御することを特徴とする撮像装置。
【発明の詳細な説明】
【０００１】
【発明の属する技術分野】
この発明は、低消費電力化された撮像装置及びその制御方法並びに光学ファインダに関する。
【０００２】
【従来の技術】
【特許文献１】特開平１１−３１７８９４号公報
【特許文献２】特開２００２−１２２７８４号公報
【０００３】
一般に、電池で駆動される撮像機器、例えばデジタルカメラやビデオムービーでは、あらゆる駆動部分に低消費電力化が要求されている。すなわち、低消費電力化が、機器使用時間の長時間化や、電池サイズの小型化による機器の小型化につながるからである。そして、撮影光学系及び光学ファインダ光学系に備えられたズームやＡＦ用のレンズ駆動用モータの消費電力も少なくはなく、機器全体の消費電力を少なくするためには、レンズ駆動による消費電力を低減させることも重要である。
【０００４】
これに対して、本件出願人は、上記光学系の低消費電力化を実現する手段として、特開平１１−３１７８９４号公報（特許文献１）等で、従来のレンズをモータで駆動している方式に代わる新しい方式である、可変形状ミラーを用いた光学系を提案した。次に、上記公報で提案した可変形状ミラーの一例について、図２２の（Ａ），（Ｂ）に基づいて説明する。図２２の（Ａ）は平面図で、図２２の（Ｂ）は図２２の（Ａ）のＸ−Ｘ′矢視断面図である。可変形状ミラー１０１　は、図２２の（Ａ），（Ｂ）に示すように、円盤型の基板１０２　の一側面上にリング状支持壁１０３を突設し、このリング状支持壁１０３　で囲まれた領域内に、三つの周辺電極１０４Ａ，１０４Ｂ，１０４Ｃと一つの中心電極１０４Ｄとからなる固定電極を配設すると共に、リング状支持壁１０３　の開口端にミラー本体１０５　の周辺部を接合固定して構成されている。
【０００５】
三つの周辺電極１０４Ａ，１０４Ｂ，１０４Ｃは、それぞれ略　１２０°の角度範囲毎に配設された円弧状をなす電極板からなっている。また中心電極１０４Ｄは、前記三つの周辺電極１０４Ａ，１０４Ｂ，１０４Ｃの中心部に存在する円形領域内に配設された円板状の電極板からなっている。なお、固定電極のパターンは、図示のものに限らず、種々の形態のものが適用可能である。ミラー本体１０５　は、例えばポリイミド樹脂で形成された円盤状ディスクの外側面に、可動電極と反射部材（ミラー面）とを兼ねたアルミニウムを被着して構成されている。
【０００６】
このように構成されている可変形状ミラー１０１　は、前記固定電極（１０４Ａ〜１０４Ｄ）と可動電極（ミラー本体１０５　）との間に所定の電圧が印加されると、その静電気力によって、反射面（ミラー本体１０５　）の湾曲形状が可変制御される。したがって、外部から反射面が適当な曲率になるように電圧制御するようになっている。
【０００７】
次に、可変形状ミラーの他の構成例を図２３の（Ａ），（Ｂ）に基づいて説明する。この構成例は、電磁駆動方式の可変形状ミラーであり、図２３の（Ａ）は側面断面図で、図２３の（Ｂ）はミラー本体の裏面側を示す図である。この電磁駆動方式の可変形状ミラー２０１　は、基板２０２　の一側面上にリング状支持壁２０３　を突設し、このリング状支持壁２０３　で囲まれた領域内に複数個の永久磁石２０４　を配設すると共に、リング状支持壁２０３　の開口端にミラー本体２０５　の周辺部を接合固定している。このミラー本体２０５　は、例えばポリイミド樹脂などで変形可能な円盤状ディスクで構成され、その内側面（裏面）には複数個のコイル２０６　が形成されており、またその外側面にはアルミニウムを被着した反射膜２０７　が形成されている。そして、各コイル２０６　には、それぞれリード線を介して外部の駆動回路２０８　から制御電流が供給されるようになっている。
【０００８】
このように構成された可変形状ミラー２０１　のミラー本体２０５　のコイル２０６　に対して、外部の駆動回路２０８　から適宜制御された電流を供給することにより、コイル２０６　に流れる電流と永久磁石２０４　の磁場との間で発生する電磁力による吸引力あるいは反撥力により、ミラー本体２０５　の形状は凹状あるいは凸状に変形するようになっている。
【０００９】
ミラー本体２０５　に設けられているコイル２０６　は、薄膜で形成することにより容易に作成することができると共に、コイル自体の剛性を低減することができるので、ミラー本体２０５　を変形しやすくすることができる。なお、磁石をミラー本体に設け、コイルを基板上に配設して構成することも可能である。また、可変形状ミラーとしては、ミラー本体に圧電材料を用いて圧電効果により変形させる構成のものなどがある。
【００１０】
このように構成された可変形状ミラーをカメラの光学系内に配置して、印加電圧あるいは電流の制御によって、ミラー本体の曲率を変化させ、合焦や変倍操作を行わせることできる。なお、ミラー本体の形状は円形に限らず楕円形でもよい。そして、このように構成された可変形状ミラーは、従来のモータ駆動のレンズ光学系に比較して低消費電力であり、また従来のモータ駆動のレンズ光学系ではモータ音や伝達系での騒音が大きいが、可変形状ミラーはほぼ無音であるという大きな二つの特徴を備えている。
【００１１】
また、本件出願人は特開２００２−１２２７８４号公報（特許文献２）において、可変形状ミラーを搭載した撮影光学系用の光学構成及び光学ファインダ用の光学構成について、種々の提案をしている。
【００１２】
【発明が解決しようとする課題】
ところで、可変形状ミラーを備えた光学系、例えば撮影光学系や光学ファインダが内蔵された撮像機器では、従来のモータによるレンズ駆動方式の光学系を内蔵したものに比べて、消費電流の大幅な低減が期待される。更に、可変形状ミラーを備えた光学系が内蔵された撮像機器では、前記可変形状ミラーへの通電駆動を適切に制御することで、より一層の省電力効果が発揮されるものと考えられるが、前記公報開示の従来の提案においては、撮像機器に内蔵した前記可変形状ミラーに対する、省電力効果を目的とする具体的な通電制御については特に考慮がなされていない。
【００１３】
本発明は、この点に鑑みてなされたもので、可変形状ミラーを備えた光学系が内蔵された撮像機器に対して適切な通電制御を行うことで、更に低消費電力化を図れるようにした撮像機器及びその制御方法並びに光学ファインダを提供することを目的とする。
【００１４】
【課題を解決するための手段】
上記課題を解決するため、請求項１に係る発明は、画像撮影用の撮像機器において、撮影画像視認用の光学ファインダと、通電によって変形する反射面を有し、該反射面の形状変化によって前記光学ファインダの光学調整を行う可変形状ミラーと、前記撮像機器の動作モードが特定のモードに設定されているときに、前記可変形状ミラーへ通電するように制御する制御手段とを備えたことを特徴とするものである。
【００１５】
このように構成された撮像機器においては、可変形状ミラーへの通電が必要なモードの場合にだけ通電するようにしているので撮像機器の一層の省電力化を図ることができる。
【００１６】
請求項２に係る発明は、請求項１に係る撮像機器において、前記制御手段は、前記撮像機器の動作モードが撮影モードに設定されているときには、所定の指示に応じて前記可変形状ミラーへ通電するように制御することを特徴とするものである。
【００１７】
このように構成された撮像機器においては、光学ファインダの使用が必要な撮影モード時には、ズームやＡＦなどの所定の指示に応じて可変形状ミラーに通電するようにしているので、撮影モード時における電力消費の一層の低減を図ることができる。
【００１８】
請求項３に係る発明は、請求項１に係る撮像機器において、前記制御手段は、当該撮像機器の動作モードが画像表示手段へスルー画像を表示するスルー画像表示モードに設定されているときには、前記可変形状ミラーへ通電しないように制御することを特徴とするものである。
【００１９】
このように構成された撮像機器においては、スルー画像表示モードは、光学ファインダが使用されないモードなので、この動作モードの場合には可変形状ミラーに通電しないようにすることで、省電力化が図られる。
【００２０】
請求項４に係る発明は、請求項１〜３のいずれか１項に係る撮像機器において、前記可変形状ミラーは、前記光学ファインダの光学系の一部を構成していることを特徴とするものである。
【００２１】
このように構成することにより、低消費電力の可変形状ミラーを備えた光学ファインダを効率的な構成とすることができる。
【００２２】
請求項５に係る発明は、請求項１〜４のいずれか１項に係る撮像機器において、前記可変形状ミラーは、前記光学ファインダの変倍比を調整するものであることを特徴とするものである。
【００２３】
このように構成することにより、光学ファインダの変倍比を低消費電力で調整することができる。
【００２４】
請求項６に係る発明は、請求項１〜５のいずれか１項に係る撮像機器において、前記可変形状ミラーは、前記光学ファインダのピントを調整するものであることを特徴とするものである。
【００２５】
このように構成することにより、光学ファインダのピント調整を低消費電力で行うことができる。
【００２６】
請求項７に係る発明は、請求項１〜６のいずれか１項に係る撮像機器において、前記可変形状ミラーは、前記光学ファインダの視度を調整するものであることを特徴とするものである。
【００２７】
このように構成することにより、光学ファインダの視度を低消費電力で調整することができる。
【００２８】
請求項８に係る発明は、請求項１〜７のいずれか１項に係る撮像機器において、前記可変形状ミラーは、複数個で光学ファインダの光学調整を行うように構成されていることを特徴とするものである。
【００２９】
このように構成された撮像機器においては、複数の可変形状ミラーで光学ファインダの光学調整がなされるので、調整できる光学調整範囲を拡大することが可能となる。
【００３０】
請求項９に係る発明は、画像撮影用の撮像機器の制御方法において、通電による反射面の変形によって光学ファインダの光学調整を行う可変形状ミラーへの通電を、当該撮像機器の動作モードが特定のモードに設定されているときに行うようにしたことを特徴とするものである。
【００３１】
このように構成された撮像機器の制御方法においては、可変形状ミラーへの通電が必要な特定モードの場合にだけ通電を行うようにしているので、撮像機器の制御の省電力化を図ることができる。
【００３２】
請求項１０に係る発明は、画像を撮影する撮影手段と、通電によって変形する反射面を有し、該反射面の形状変化によって前記撮影手段の光学調整を行う撮影手段用の可変形状ミラーと、撮影画像視認用の光学ファインダと、通電によって変形する反射面を有し、該反射面の形状変化によって前記光学ファインダの光学調整を行う光学ファインダ用の可変形状ミラーと、前記撮影手段用の可変形状ミラーと前記光学ファインダ用の可変形状ミラーへの相互の通電タイミングが重複しないように制御する制御手段とで撮像機器を構成するものである。
【００３３】
このように構成された撮像機器においては、撮影手段用の可変形状ミラーと光学ファインダ用の可変形状ミラーへの相互の通電タイミングが重複しないように制御されているので、ピーク電流の増加を防止することができ、電池寿命を増加させることが可能となる。また相互の通電タイミングをずらして通電を行うようにしているので、電池の電圧が低下しても、可変形状ミラーの反射面の安定した変形が保証される。
【００３４】
請求項１１に係る発明は、画像を撮影する撮影手段と、通電によって変形する反射面を有し、該反射面の形状変化によって前記撮影手段の光学調整を行う撮影手段用の可変形状ミラーと、撮影画像視認用の光学ファインダと、通電によって変形する反射面を有し、該反射面の形状変化によって前記光学ファインダの光学調整を行う光学ファインダ用の可変形状ミラーと、前記撮影手段用の可変形状ミラー及び前記光学ファインダ用の可変形状ミラーへの通電制御であって、前記各可変形状ミラーの内の少なくとも１つの可変形状ミラーへの通電を他の可変形状ミラーへの通電と重ならないように制御する制御手段とで撮像機器を構成するものである。
【００３５】
このように構成された撮像機器においては、撮影手段用の可変形状ミラーあるいは光学ファインダ用の可変形状ミラーが複数個用いられている場合でも、ピーク電流の増加をいくらかでも防止することができ、電池寿命を増加させることが可能となる。
【００３６】
請求項１２に係る発明は、請求項１１に係る撮像機器において、前記制御手段は、全ての前記可変形状ミラーへのそれぞれの通電が重複しないように制御することを特徴とするものである。
【００３７】
このように構成された撮像機器においては、撮影手段用の可変形状ミラーあるいは光学ファインダ用の可変形状ミラーが複数個用いられている場合でも、ピーク電流の増加を確実に防止することができ、電池寿命を増加させることができる。
【００３８】
請求項１３に係る発明は、撮像装置の制御方法において、通電による反射面の変形によって撮像手段の光学調整を行う撮影手段用の可変形状ミラー及び通電による反射面の変形によって光学ファインダの光学調整を行う光学ファインダ用の可変形状ミラーからなる複数の可変形状ミラーに対して、該複数の可変形状ミラーの内の少なくとも１つの可変形状ミラーへの通電が他方の可変形状ミラーへの通電と重ならないように制御することを特徴とするものである。
【００３９】
このように構成された撮像機器の制御方法においては、撮影手段用の可変形状ミラーあるいは光学ファインダ用の可変形状ミラーが複数個用いられている場合の制御方法においても、ピーク電流の増加をいくらかでも防止することができ、電池寿命を増加させることができる。
【００４０】
請求項１４に係る発明は、撮像画像視認用の光学ファインダにおいて、通電によって変形する反射面を有し、該反射面の形状変化によって光学調整を行う複数の可変形状ミラーと、該複数の可変形状ミラーへの各通電期間が重複しないように通電を制御する制御手段とを備えていることを特徴とするものである。
【００４１】
このように構成された光学ファインダにおいては、光学調整を行う複数の可変形状ミラーへの各通電期間が重複しないように通電を制御するようにしているので、ピーク電流の増加を防止できるようにした光学ファインダを実現することができる。
【００４２】
請求項１５に係る発明は、撮像画像視認用の光学ファインダにおいて、該光学ファインダの光学系の一部を構成し、通電によって形状変形する反射面を有し、該反射面の形状変化によって光学調整を行う光学ファインダ用の可変形状ミラーと、該可変形状ミラーの通電により変形する反射面の形状を許容範囲内の所定形状に保持するように通電を制御する制御手段とを備えたことを特徴とするものである。
【００４３】
このように構成された光学ファインダにおいては、可変形状ミラーの反射面の形状を許容範囲内の所定形状に保持するように通電を制御するようになっているので、所定時間光学調整をほぼ一定に保持することが可能となる。
【００４４】
請求項１６に係る発明は、請求項１５に係る光学ファインダにおいて、前記制御手段は、反射面の形状を許容範囲内の所定形状に保持するために、前記可変形状ミラーに所定の間隔で通電するように制御することを特徴とするものである。
【００４５】
このように構成された光学ファインダにおいては、可変形状ミラーに所定間隔で通電するように制御されているので、電力消費を抑えながら可変形状ミラーの形状をほぼ一定に保持することができる。
【００４６】
請求項１７に係る発明は、請求項１５又は１６に係る光学ファインダにおいて、前記可変形状ミラーは複数備え、前記制御手段は、複数の前記可変形状ミラーへの各通電期間が重複しないように通電を制御することを特徴とするものである。
【００４７】
このように構成された光学ファインダにおいては、複数の可変形状ミラーへの各通電期間が重複しないように通電を制御しているので、電力消費を抑えつつ且つピーク電流の増加を防止しながら、可変形状ミラーの形状をほぼ一定に保持することができる。
【００４８】
請求項１８に係る発明は、画像を撮影する撮影手段と、通電によって変形する反射面を有し、該反射面の形状変化によって前記撮影手段の光学調整を行う撮影手段用の可変形状ミラーと、撮影画像視認用の光学ファインダと、通電によって変形する反射面を有し、該反射面の形状変化によって前記光学ファインダの光学調整を行う光学ファインダ用の可変形状ミラーと、前記撮影手段用の可変形状ミラー及び光学ファインダ用の可変形状ミラーへの通電を制御する制御手段とを備え、該制御手段は、前記可変形状ミラーの反射面の形状を許容範囲内の所定形状に保持するための間欠的な通電を、前記光学ファインダ用の可変形状ミラーに比べて前記撮影手段用の可変形状ミラーに対して間欠周期をより短くして繰り返すように制御するようにして撮像機器を構成するものである。
【００４９】
このように構成された撮像機器においては、可変形状ミラーの形状をほぼ一定に保持するための間欠的な通電を、光学ファインダ用の可変形状ミラーに比べて撮影手段用の可変形状ミラーに対して間欠周期をより短くして繰り返すように制御しているので、節電を図りながら、撮影手段用の可変形状ミラーの形状をより安定した状態でほぼ一定に保持することができる。
【００５０】
【発明の実施の形態】
次に、実施の形態について説明する。図１は、本発明に係る撮像機器の第１の実施の形態を適用したデジタルカメラの全体構成を示す概略ブロック図である。図１において、１は撮像部で、該撮像部１は、自由曲面プリズム２と、該自由曲面プリズム２の背面上部レンズ面に対向して配置した第１の可変形状ミラーＡと、同じく自由曲面プリズム２の前面下部レンズ面に対向して配置した第２の可変形状ミラーＢとからなる撮影用光学系３と、自由曲面プリズム２の背面下部レンズ面に対向して配置した撮像素子４と、第１及び第２の可変形状ミラーＡ，Ｂをそれぞれ駆動するための第１のミラードライバ５及び第２のミラードライバ６とで構成されている。なお、上記撮影用光学系を構成する第１及び第２の可変形状ミラーＡ，Ｂとしては、ここでは印加電圧で変形形状が制御される静電型のものが用いられているが、電磁駆動型のものも用いることができる。
【００５１】
図１において、１１はファインダ部で、凹レンズと凸レンズとからなる対物レンズ１２と、該対物レンズ１２と対向させて配置した第３の可変形状ミラーＣと、第３の可変形状ミラーＣの反射光を入射する第４の可変形状ミラーＤと、第４の可変形状ミラーＤの反射光を入射する、視線を９０°曲げ正立像を得るための視野絞り１３を備えたダハプリズム１４と、ダハプリズム１４の出射光を入射する接眼レンズ１５とで構成したファインダ光学系１６と、第３及び第４の可変形状ミラーＣ，Ｄを駆動するための第３のミラードライバ１７と第４のミラードライバ１８とを備えている。なお、上記ファインダ光学系１６を構成する第３及び第４の可変形状ミラーＣ，Ｄとしては、印加電流で変形形状が制御される電磁駆動型のもの、又は印加電圧で変形形状が制御される静電型のものが用いられている。
【００５２】
上記実施の形態におけるデジタルカメラの撮像信号処理系及び操作制御系は、カメラの各部の動作を制御するＣＰＵ２１と、電源オンオフボタン、レリースボタン、ズームボタン（光学／電子連動）等からなる操作部２２と、カメラプログラムや各可変形状ミラーの制御データに関するルックアップテーブル（ＬＵＴ）等を格納したフラッシュメモリ２３と、撮像素子４からの撮像信号を処理して画像データを生成する撮像回路２４と、画像データを用いてコントラストＡＦ処理するＡＦ回路２５と、画像データを一時的に記憶するＤＲＡＭ２６と、画像データに各種画像処理を施す画像処理部２７と、画像データを表示する画像表示部２８と、画像データを記録するメモリカード２９等で構成されている。
【００５３】
次に、撮像部１とファインダ部１１の概略動作について説明する。撮影部光学系３の自由曲面プリズム２の前面上部レンズ面に入射した軸上入射光線は、背面上部レンズ面を通って第１の可変形状ミラーＡに入射して反射され、その反射光は再び背面上部レンズ面に入射し、前面下部レンズ面を通って第２の可変形状ミラーＢに入射して反射され、その反射光は再び前面下部レンズ面に入射し背面下部レンズ面を通過して、撮像素子４へ入射するようになっている。
【００５４】
ここで、撮影部光学系におけるズーム比調整は、ＣＰＵ２１で制御される第１及び第２のミラードライバ５，６により各可変形状ミラーＡ，Ｂに印加される電圧によって調整され、またピント（フォーカス）調整は、可変形状ミラーＡに印加される電圧の調整によって行われる。
【００５５】
図２の（Ａ）〜（Ｃ）に、撮影光学系のズーム比調整時の各ズーム比における第１及び第２の可変形状ミラーＡ，Ｂの形状例を示す。図２の（Ａ）は、ズーム比をワイド（広角）値Ｗとするために、第１及び第２の可変形状ミラーＡ，Ｂにそれぞれワイドズーム用電圧ＡＷ　，ＢＷ　が印加されて、ミラー本体がワイド位置に変形されている態様を示しており、また図２の（Ｂ）は、ズーム比を中間値Ｍとするために、第１及び第２の可変形状ミラーＡ，Ｂにそれぞれ中間ズーム用電圧ＡＭ　，ＢＭ　が印加されて、中間位置に変形されている態様を示している。また図２の（Ｃ）は、ズーム比をテレ（望遠）値Ｔとするために、第１及び第２の可変形状ミラーＡ，Ｂにそれぞれテレズーム用電圧ＡＴ　，ＢＴ　が印加されて、テレ位置に変形されている態様を示している。
【００５６】
図３の（Ａ）〜（Ｃ）に、撮影光学系における近点から遠点までのフォーカス調整における第１の可変形状ミラーＡの形状例を示す。図３の（Ａ）は、ズーム比が中間値Ｍにおいてフォーカスを近点（２０ｃｍ）とするために、第１の可変形状ミラーＡに電圧ＡＭ２が印加されて、ミラー本体が近点位置に変形されている態様を示しており、また図３の（Ｂ）は、フォーカスを中間距離（２ｍ）とするために、第１の可変形状ミラーＡに電圧ＡＭ１が印加されて、中間位置に変形されている態様を示しており、また図３の（Ｃ）は、フォーカスを遠点（無限）とするために、第１の可変形状ミラーＡに電圧ＡＭ３が印加されて、遠点位置に変形されている態様を示している。
【００５７】
上記撮影光学系におけるズーム比調整時及びフォーカス調整時に、第１及び第２の可変形状ミラーＡ，Ｂにそれぞれ印加される電圧の特性曲線を図４に示す。図４において実線は第１の可変形状ミラーＡへの印加電圧カーブを示しており、点線は第２の可変形状ミラーＢへの印加電圧カーブを示している。これらの印加電圧特性曲線の各電圧値（電圧データ）は、ルックアップテーブルの形態でフラッシュメモリ２３に記憶されている。ルックアップテーブルの電圧値（電圧データ）としては、全ズーム比あるいは全フォーカス位置における各電圧値を全て対応させて記憶しておいてもよいが、メモリ節約のために、主要なポイントのズーム比・フォーカス位置に対応する電圧値のみを記憶させておいて、主要ポイント以外の各ポイントに対応する電圧値は、補間により算出するようにしてもよい。また上記電圧値として、各可変形状ミラーの各固定電極（例えば４個）毎に別々の電圧値を記憶させておいてもよいが、やはりメモリ節約のために、各固定電極間の印加電圧の偏差が一定である場合には、例えば中央領域に配置した電極への印加電圧値だけを記憶させておいて、他の電極（例えば３個）への印加電圧値は演算により算出するようにしてもよい。
【００５８】
次に、ファインダ部の概略動作について説明する。ファインダ部１１においては、対物レンズ１２に入射した軸上入射光線は、第３の可変形状ミラーＣに入射して反射され、その反射光は第４の可変形状ミラーＤに入射して反射され、その反射光は視野絞り１３を介してダハプリズム１４に入射し、９０°曲げられて正立像として出射され、接眼レンズ１５を介して使用者の瞳１９へ入射するようになっている。
【００５９】
ここで、ファインダ光学系１６におけるズーム比調整は、第３及び第４の可変形状ミラーＣ，Ｄとして電磁駆動型のものを用いている場合は、それらに印加する電流調整により、静電型のものを用いている場合は、それらに印加する電圧調整により行われる。またフォーカス調整は、第３の可変形状ミラーＣに印加する電流調整（電磁駆動型の場合）、又は印加する電圧調整（静電型の場合）により行われる。
【００６０】
図５の（Ａ），（Ｂ）に、ファインダ光学系１６の可変形状ミラーＣ，Ｄとして電磁駆動型のものを用いている場合において、ズーム比調整時のズーム比両端における第３及び第４の可変形状ミラーＣ，Ｄの形状例を示す。図５の（Ａ）は、ズーム比をワイド値Ｗとするために、第３及び第４の可変形状ミラーＣ，Ｄにそれぞれワイドズーム用電流ＣＷＩ，ＤＷＩが流されて、ミラー本体がワイド位置に変形されている態様を示しており、また図５の（Ｂ）は、ズーム比をテレ値Ｔとするために、第３及び第４の可変形状ミラーＣ，Ｄにそれぞれテレズーム用電流ＣＴＩ，ＤＴＩが印加されて、テレ位置に変形されている態様を示している。
【００６１】
図６の（Ａ）〜（Ｃ）に、ファインダ光学系における近点から遠点までのフォーカス調整における第３の可変形状ミラーＣ（電磁駆動型の場合）の形状例を示す。図６の（Ａ）は、ズーム比を中間値Ｍとした場合においてフォーカスを近点（２０ｃｍ）とするために、第３の可変形状ミラーＣに電流ＣＭＩ２　が流されて、近点位置に変形されている態様を示しており、また図６の（Ｂ）は、フォーカスを中間距離（２ｍ）とするために、第３の可変形状ミラーＣに電流ＣＭＩ１　が流されて、中間位置に変形されている態様を示しており、また図６の（Ｃ）は、フォーカスを遠点（無限）とするために、第３の可変形状ミラーＣに電流ＣＭＩ３　が流されて、遠点位置に変形されている態様を示している。
【００６２】
上記ファインダ光学系におけるズーム比調整時及びフォーカス調整時に、第３及び第４の可変形状ミラーＣ，Ｄにそれぞれ印加される電流の特性曲線を図７に示す。図７において実線は第３の可変形状ミラーＣへの印加電流カーブを示しており、点線は第４の可変形状ミラーＤへの印加電流カーブを示している。これらの印加電流特性曲線の各電流値（電流データ）は、撮影光学系の第１及び第２の可変形状ミラーＡ，Ｂへの印加電圧値と同様に、ルックアップテーブルの形態でフラッシュメモリ２３に記憶されている。
【００６３】
次に、ファインダ光学系１６の第３及び第４の可変形状ミラーＣ，Ｄとして静電型のものを用いた場合における、ズーム比調整時のズーム比両端における変形形状例について説明する。図８の（Ａ）は、ズーム比をワイド値Ｗとするために、第３及び第４の可変形状ミラーＣ，Ｄにそれぞれワイドズーム用電圧ＣＷＶ，ＤＷＶが印加されて、ミラー本体がワイド位置に変形されている態様を示しており、図８の（Ｂ）は、ズーム比をテレ値Ｔとするために、第３及び第４の可変形状ミラーＣ，Ｄにそれぞれテレズーム用電圧ＣＴＶ，ＤＴＶが印加されて、テレ位置に変形されている態様を示している。
【００６４】
図９の（Ａ）〜（Ｃ）に、ファインダ光学系における静電型の第３の可変形状ミラーＣの、近点から遠点までのフォーカス調整における変形形状例を示す。図９の（Ａ）は、ズーム比を中間値Ｍとした場合においてフォーカスを近点（２０ｃｍ）とするために、第３の可変形状ミラーＣに電圧ＣＭＶ２　が印加されて、近点位置に変形されている態様を示しており、また図９の（Ｂ）は、フォーカスを中間距離（２ｍ）とするために、第３の可変形状ミラーＣに電圧ＣＭＶ１　が印加されて、中間位置に変形されている態様を示しており、また図９の（Ｃ）は、フォーカスを遠点（無限）とするために、第３の可変形状ミラーＣに電圧ＣＭＶ３　が印加されて、遠点位置に変形されている態様を示している。
【００６５】
上記ファインダ光学系において静電型の第３及び第４の可変形状ミラーＣ，Ｄを用いた場合におけるズーム比調整時及びフォーカス調整時に、各ミラーＣ，Ｄにそれぞれ印加される電圧の特性曲線を図１０に示す。図１０において実線は第３の可変形状ミラーＣへの印加電圧カーブを示しており、点線は第４の可変形状ミラーＤへの印加電圧カーブを示している。これらの印加電圧特性曲線の各電圧値（電圧データ）は、撮影光学系の第１及び第２の可変形状ミラーＡ，Ｂへの印加電圧値と同様に、ルックアップテーブルの形態でフラッシュメモリ２３に記憶されている。
【００６６】
次に、撮像部１及びファインダ部１１を含めたデジタルカメラ全体の動作について、図１１に示すフローチャートに基づいて説明する。図１１のフローチャートはメインルーチンを示すもので、デジタルカメラの動作モードが撮影モードではない再生モードの場合には、撮影部１の光学系３やファインダ部１１の光学系１６は使用しないので、まず動作モードが撮影モードであるか否かの判定が行われる（ステップＳ１）。動作モードが撮影モードの場合は、撮影光学系３及びファインダ光学系１６に用いられている第１〜第４の可変形状ミラーＡ〜Ｄの初期設定が行われ（ステップＳ２）、動作モードが撮影モードでない場合は、再生処理が実行される（ステップＳ３）。
【００６７】
撮影光学系３及びファインダ光学系１６の初期設定においては、ズーム機能付きのデジタルカメラでは、通常最初は視野をなるべく広く入れるのが望ましいので、ズームは広角とし、物体距離（フォーカス）は中葉の２ｍを取りあえず自動的に設定し（デフォルト設定）、それに応じて第１〜第４の可変形状ミラーＡ〜Ｄを通電制御する。
【００６８】
撮影光学系３及びファインダ光学系１６のそれぞれの初期設定が行われた後は、次いでズーム操作を行うか否かの判定が行われ（ステップＳ４）、ズーム操作が行われる場合は、第１のミラー制御１のサブルーチン動作に入る（ステップＳ５）。この第１のミラー制御１のサブルーチン動作では、図１２のフローチャートに示すように、画像表示部２８のＬＣＤで画像が表示されている場合は、その表示画像で撮影画像が確認されていて、したがって光学ファインダは使用しなくてよいものと想定されるので、まず画像表示部２８用のＬＣＤがＯＦＦされているか否かの判定が行われる（ステップＳ５−１）。
【００６９】
この判定ステップで画像表示部２８のＬＣＤがＯＦＦの場合は、撮影光学系用可変形状ミラーＡ，Ｂと共にファインダ光学系用可変形状ミラーＣ，Ｄに対して、ズーム操作用の通電を行う（ステップＳ５−２）。一方、画像表示部２８のＬＣＤがＯＮの場合は、ファインダ光学系用可変形状ミラーＣ，Ｄは動作させる必要がないので、撮影光学系用可変形状ミラーＡ，Ｂに対してのみ、ズーム操作用の通電を行う（ステップＳ５−３）。これらの動作で第１のミラー制御１のサブルーチンの動作を終了して、再びメインルーチンに戻る。
【００７０】
上記ズーム操作時において、撮影光学系用可変形状ミラーＡ，Ｂ及びファインダ光学系用可変形状ミラーＣ，Ｄのいずれにも静電型のものが用いられている場合には、各可変形状ミラーＡ〜Ｄへの通電は、次のようにして行われる。すなわち、図１３のタイミングチャートに示すように、ズームレバー又はズームボタンによりズーム操作が行われると、その操作量に対応するズーム比に応じて、撮影光学系及びファインダ光学系用の各可変形状ミラーに対して通電（電圧印加）が行われる。その際、各可変形状ミラーＡ〜Ｄに対して通電時間が重複しないように順次ずらして通電を行うようにし、広角から望遠に向けて各ズーム比に応じて通電量を、各可変形状ミラーＡ〜Ｄへの通電量Ｅａ１，Ｅｂ１，Ｅｃ１，Ｅｄ１からＥａ２，Ｅｂ２，Ｅｃ２，Ｅｄ２に示すように順次大にして行き、通電量Ｅａｎ，Ｅｂｎ，Ｅｃｎ，Ｅｄｎで設定ズーム比に対応する最終形状が得られるようにする。このようにズーム操作時における各可変形状ミラーへの通電（電圧印加）を制御することにより、ピーク電流の増加を防止することができる。
【００７１】
なお、上記各可変形状ミラーへの通電時間をずらした分割駆動方式は、静電型の可変形状ミラーを適用した場合にのみ実施するものとする。したがって、撮影光学系及びファインダ光学系用の各可変形状ミラーＡ〜Ｄとして電磁駆動型のものを用いている場合には、ズームレバー等で設定されたズーム比に対応した電流が、各可変形状ミラーＡ〜Ｄに同時に、次のＡＦ制御を経て撮影動作が終了するまで連続して印加されることになる。
【００７２】
再び図１１に示すメインルーチンのフローチャートに戻って、引き続く動作について説明する。第１のミラー制御１のサブルーチンステップＳ５の動作が終了すると、各可変形状ミラーとして静電型のものを用いている場合には、次に第１のミラー制御１のサブルーチン動作におけるズーム操作用の通電が終了してから、所定時間が経過しているか否かの判定が行われる（ステップＳ６）。上記ズーム操作が行われるか否かの判定ステップＳ４において、ズーム操作が行われない場合は、サブルーチンステップである第１のミラー制御１の動作ステップＳ５が省略され、この場合も、上記所定時間経過の判定が行われる。つまり、撮影光学系用及びファインダ光学系用の可変形状ミラーの初期設定のための通電後所定時間経過しているか否かの判定が行われる。
【００７３】
この所定時間経過の判定を行うのは、次の理由による。すなわち、静電型の可変形状ミラーの場合、所定形状に変形するための電圧を印加したのち、その電圧印加を中止すると、時間経過と共に電荷もれが生じ、ミラー本体の所定の変形形状が保持できなくなるので、所定の変形形状を許容値範囲内に保持しておくためには、電圧印加を所定時間間隔で繰り返し行う必要があるからである。
【００７４】
上記所定時間経過の判定ステップＳ６で、通電中止後所定時間（この例では５秒）が経過している場合は、第２のミラー制御２のサブルーチン動作に入る（ステップＳ７）。この第２のミラー制御２のサブルーチンは、図１４のフローチャートに示すように、上記第１のミラー制御１のサブルーチンの動作と同様に、まず画像表示部２８のＬＣＤがＯＦＦされているか否かの判定が行われる（ステップＳ７−１）。この判定ステップＳ７−１で画像表示部２８のＬＣＤがＯＦＦの場合は、撮影光学系用可変形状ミラーＡ，Ｂと共にファインダ光学系用可変形状ミラーＣ，Ｄに対して、ミラー保持用の通電を行う（ステップＳ７−２）。一方、画像表示部２８のＬＣＤがＯＮの場合は、ファインダ光学系用可変形状ミラーＣ，Ｄは動作させていないので、撮影光学系用可変形状ミラーＡ，Ｂに対してのみ、ミラー保持用の通電を行う（ステップＳ７−３）。これらの動作で第２のミラー制御２のサブルーチン動作を終了して、再びメインルーチンのフローに戻る。
【００７５】
上記静電型の各可変形状ミラーＡ〜Ｄの形状保持用の通電（電圧印加）は、次のようにして行われる。すなわち、図１５に示すように、各可変形状ミラーＡ〜Ｄに対して、それぞれ最終変形形状用電圧Ｅａｎ，Ｅｂｎ，Ｅｃｎ，Ｅｄｎを、各可変形状ミラーＡ〜Ｄへの通電時間が重複しないように順次ずらして印加するようにすると共に、この態様での各可変形状ミラーＡ〜Ｄの電圧印加を所定の通電タイミング間隔Ｔ１　（この例では５秒）で繰り返し行うようにする。これにより、保持用通電時においてもピーク電流の増加を防止することができる。
【００７６】
また、ファインダ光学系用の可変形状ミラーを所定変形形状に保持しておく重要性は、撮影光学系用可変形状ミラーの所定変形形状保持の重要性より低く、その許容範囲は撮影光学系用可変形状ミラーより大きくとれるものと想定されるので、図１６に示すように、例えば通電タイミング間隔（通電頻度）を撮影光学系用可変形状ミラーの２倍（この例では１０秒）にすることも可能であり、これにより、更に電力消費の低減を図ることができる。
【００７７】
なお、上記所定時間経過の判定ステップＳ６及び第２のミラー制御２のサブルーチン動作ステップＳ７は、上記のように撮影光学系用及びファインダ光学系用可変形状ミラーＡ〜Ｄとして静電型のものを用いた場合にのみ実施するものとする。したがって、これらの可変形状ミラーＡ〜Ｄとして電磁駆動型のものを用いている場合には、これらの所定時間経過判定ステップＳ６及び第２のミラー制御２のサブルーチン動作ステップＳ７は省略される。
【００７８】
再び図１１に示すメインルーチンのフローチャートに戻って、引き続く次の動作について説明する。第２のミラー制御２のサブルーチンステップＳ７の動作が行われたのちは、１ｓｔレリースの操作が行われたか否かの判定が行われる（ステップＳ８）。先の所定時間経過判定ステップＳ６において、所定時間経過していない場合も、第２のミラー制御２のサブルーチンステップＳ７を飛び越して、上記１ｓｔレリース操作の判定ステップＳ８に移行する。なお、可変形状ミラーＡ〜Ｄとして電磁駆動型のものを用いていて、所定時間経過判定ステップＳ６及び第２のミラー制御２のサブルーチンステップＳ７が省略される場合も、この１ｓｔレリース操作の判定ステップＳ８に移行する。
【００７９】
この１ｓｔレリース操作がなされると、カメラの撮影・準備開始ということで、ＡＦ制御のサブルーチン動作が開始される（ステップＳ９）。なお、１ｓｔレリース操作が行われない場合は、ステップＳ４に戻り、１ｓｔレリース操作が行われるまで、ステップＳ４からステップＳ８までの動作が繰り返される。
【００８０】
ＡＦ制御には、山登りＡＦ方式と測距ＡＦ方式とがあるが、山登り方式のＡＦ制御を用いている場合は、図１７の（Ａ）に示すように、ＡＦ制御では直接的には撮像光学系のみを制御すればよいので、撮影光学系用の可変形状ミラーＡによるＡＦ制御を行う（ステップＳ９−１１）。この山登り方式のＡＦ制御では、撮影光学系用可変形状ミラーを無限遠位置から至近方向に向かって物体距離が少しづつ変化するように、その形状を変化させ（図４に示した印加電圧カーブに対応した印加電圧を用いる）、それぞれの物体距離で撮影された画像のコントラスト値を記憶し、コントラストがピーク値となったような物体距離を合焦位置と判断し、撮影光学系用可変形状ミラーＡを前記物体距離で合焦するような形状にする。次いで、ファインダ光学系用の可変形状ミラーＣに、前記山登り方式のＡＦ制御で合焦と判断された物体距離に対応する電圧又は電流（図１０又は図７に示した電圧カーブ又は電流カーブに対応する電圧又は電流）を印加して、ファインダ光学系用可変形状ミラーＣのＡＦ制御を行う（ステップＳ９−１２）。
【００８１】
一方、測距方式のＡＦ制御を用いている場合には、図１７の（Ｂ）に示すように、撮像機器（デジタルカメラ）に備えた測距センサ（図示せず）の出力により、物体距離を検出し（ステップＳ９−２１）、検出された物体距離に対する電圧を撮影光学系用可変形状ミラーＡに印加してＡＦ制御する（ステップＳ８）。次いで、同じく検出された物体距離に対応するする電圧又は電流をファインダ光学系用可変形状ミラーＣに印加してＡＦ制御する（ステップＳ９−２３）。なお、検出された物体距離に対応するＡＦ制御は、撮影光学系、ファインダ光学系用可変形状ミラーのいずれが先であってもかまわない。
【００８２】
上記ＡＦ制御動作が終了すると、再びメインルーチンに戻って、２ｎｄレリース操作がなされたか否かの判定が行われ（ステップＳ１０）、この２ｎｄレリース操作がなされていない場合は、その操作が行われるまで待機する。２ｎｄレリース操作がなされると、撮影動作が行われ（ステップＳ１１）、撮影画像の記録が行われる（ステップＳ１２）。
【００８３】
なお、この実施の形態におけるファインダ光学系の視度調整は、フォーカス調整と同様に可変形状ミラーＣへの印加電圧又は印加電流の調整によるミラー本体の形状調整により行われるようになっている。
【００８４】
次に、第２の実施の形態について説明する。この実施の形態は、ファインダ部を、図１８の（Ａ），（Ｂ）に示すように、２個の可変形状ミラーを用いる代わりに単一の可変形状ミラーを用いて構成したもので、その他の構成は図１に示した第１の実施の形態とほぼ同じである。図１８の（Ａ）はファインダ部の正面図で、図１８の（Ｂ）はその側面図であり、図１に示した第１の実施の形態と同一又は対応する部材には、同一符号を付して示している。
【００８５】
この実施の形態のファインダ部３１は、対物レンズ１２と、第１のプリズム３２と、視野絞り１３と、第２のプリズム３３と、可変形状ミラーＣと、接眼レンズ１５と、ＣＰＵで制御され可変形状ミラーＣを駆動するミラードライバ１７とで構成されている。そして、対物レンズ１２を通った入射光は、第１のプリズム３２に入射して下方に向けて反射され、その反射光は更に視野絞り１３を介して第２のプリズム３３に入射して反射され、その反射光は可変形状ミラーＣに入射し、その反射光は接眼レンズ１５を通して撮影者の瞳１９に入射するようになっている。
【００８６】
この実施の形態では、可変形状ミラーＣを１個のみ用いているので、ズーム操作は行えないが、可変形状ミラーＣの変形形状の調整によりフォーカス調整（ピント補正）及び視度調整を行うことができる。フォーカス調整は、図６又は図９に示すように、可変形状ミラーＣに印加する電流（電磁駆動型）又は電圧（静電型）の調整による、ミラー本体の形状調整により行われる。また視度調整も、フォーカス調整と同様に、可変形状ミラーＣに印加する電流又は電圧の調整による形状調整により行われる。図１９の（Ａ），（Ｂ）は、静電型の可変形状ミラーを用いた場合における可変形状ミラーＣの変形形状に対応するフォーカス調整値と視度調整値との対応関係を示す図である。図１９の（Ａ）は、フォーカスを近点位置（２０ｃｍ）とした形態が視度＋１ｄｉｏｐに対応しており、図１９の（Ｂ）はフォーカスを遠点位置（無限）とした形態が視度−６ｄｉｏｐに対応していることを示している。
【００８７】
次に、第３の実施の形態を図２０に基づいて説明する。この実施の形態は、ファインダ部の構成を単一の可変形状ミラーを用いてズーム操作も行えるように構成したもので、その他の構成は図１に示したものとほぼ同じである。図２０は、ファインダ部の側面図で、図１に示した第１の実施の形態と同一又は対応する部材には、同一符号を付して示している。
【００８８】
この実施の形態のファインダ部４１は、入射凹レンズ４２と移動レンズ群４３と可変形状ミラーＣとからなる対物レンズ群４４と、視野絞り１３と、第３のプリズム４５と、第４のプリズム４６と、接眼レンズ１５と、ＣＰＵで制御され移動レンズ群４３を駆動するレンズ駆動部４７と、ＣＰＵで制御され可変形状ミラーＣを駆動するミラードライバ１７とで構成されている。そして、入射凹レンズ４２を通った入射光は、移動レンズ群４３を通って可変形状ミラーＣに入射し、その反射光は絞り１３を介して第３のプリズム４５及び第４のプリズム４６を通り、更に、接眼レンズ１５を通って撮影者の瞳１９に入射するようになっている。
【００８９】
この実施の形態では、移動レンズ群４３によりズーム比調整を行い、可変形状ミラーＣによりフォーカス調整、ズーム調整によるピント補正並びに視度調整を行うことができるようになっている。可変形状ミラーＣによるフォーカス調整、あるいはズーム調整に伴うピント補正は、図６又は図９に示すように、可変形状ミラーＣに印加する電流（電磁駆動型）又は電圧（静電型）の調整による、ミラー本体の形状調整により行われる。また視度調整も、フォーカス調整と同様に、可変形状ミラーＣに印加する電流又は電圧の調整による形状調整により行われる。図２１の（Ａ），（Ｂ）は、静電型の可変形状ミラーＣを用いた場合における可変形状ミラーＣの変形形状に対応するフォーカス調整値と視度調整値との対応関係を示す図である。図２１の（Ａ）は、フォーカスを近点位置（２０ｃｍ）とした形態が視度＋１ｄｉｏｐに対応しており、図２１の（Ｂ）はフォーカスを遠点位置（無限）とした形態が視度−６ｄｉｏｐに対応していることを示している。
【００９０】
なお、上記第３の実施の形態においても、撮影光学系の可変形状ミラーＡ，Ｂとして静電型のものを用いた場合における各可変形状ミラーへの電圧印加を時間的にずらす分割駆動や、変形形状保持時の間欠駆動方式は、第１の実施の形態と同様に用いることができる。
【００９１】
【発明の効果】
以上実施の形態に基づいて説明したように、請求項１に係る発明によれば、可変形状ミラーへの通電が必要なモードの場合にだけ通電するようにしているので、撮像機器の省電力化を図ることができる。また請求項２に係る発明によれば、光学ファインダの使用が必要な撮影モード時に、ズームやＡＦなどの所定の指示に応じて可変形状ミラーに通電するようにしているので、撮影モード時における電力消費の一層の低減を図ることができる。また請求項３に係る発明によれば、スルー画像表示モード時には可変形状ミラーに通電をしないようにしているので、スルー画像表示モード時の省電力化を図ることができる。また請求項４に係る発明によれば、低消費電力の可変形状ミラーを備えた光学ファインダを効率的な構成とすることができる。また請求項５に係る発明によれば、光学ファインダの変倍操作を低消費電力で行うことができる。また請求項６に係る発明によれば、光学ファインダのピント調整を低消費電力で行うことができる。また請求項７に係る発明によれば、光学ファインダの視度調整を低消費電力で行うことができる。また請求項８に係る発明によれば、複数の可変形状ミラーで光学調整を行うようにしているので、調整可能な光学調整範囲拡大化を図ることができる。
【００９２】
請求項９に係る発明によれば、可変形状ミラーへの通電が必要な特定モードの場合にだけ通電を行うようにしているので、省電力化を図ることの可能な撮像機器の制御方法を実現することができる。また請求項１０に係る発明によれば、可変形状ミラーへの相互の通電タイミングが重複しないように制御しているので、ピーク電流の増加を防止して電池寿命を増加させることが可能になると共に電池電圧が低下しても可変形状ミラーの安定した変形を保証することが可能となる。また請求項１１に係る発明によれば、撮影手段用あるいは光学ファインダ用の可変形状ミラーが複数個用いられている場合でも、ピーク電流の増加をいくらかでも防止することができ、電池寿命を増加させることが可能となる。また請求項１２に係る発明によれば、撮影手段用あるいは光学ファインダ用の可変形状ミラーが複数個用いられている場合でも、ピーク電流の増加をより確実に防止することができ、電池寿命をより確実に増加させることができる。また請求項１３に係る発明によれば、撮影手段用あるいは光学ファインダ用の可変形状ミラーが複数個用いられている撮像機器の制御方法において、ピーク電流の増加をいくらかでも防止することができ、電池寿命を増加させることができる。
【００９３】
請求項１４に係る発明によれば、ピーク電流の増加を防止し電池寿命を増加させることの可能な光学ファインダを実現することができる。また請求項１５に係る発明によれば、可変形状ミラーの反射面の形状を許容範囲内の所定形状に保持するように通電を制御するようにしているので、光学ファインダの光学調整を所定時間ほぼ一定に保持することができる。また請求項１６に係る発明によれば、可変形状ミラーに所定間隔で通電するように制御しているので、電力消費を抑えながら可変形状ミラーの形状をほぼ一定に保持することができる。また請求項１７に係る発明によれば、複数の可変形状ミラーへの各通電期間が重複しないように制御しているので、電力消費を抑えつつ且つピーク電流の増加を防止しながら、可変形状ミラーの形状をほぼ一定に保持することができる。また請求項１８に係る発明によれば、節電を図りながら、撮影手段用の可変形状ミラーの形状を、より安定した状態でほぼ一定に保持することができる。
【図面の簡単な説明】
【図１】本発明に係る撮像機器の第１の実施の形態を適用したデジタルカメラの全体構成を示すブロック図である。
【図２】第１の実施の形態における撮影光学系のズーム比調整時の各ズーム比における、静電型の第１及び第２の可変形状ミラーＡ，Ｂの形状例を示す図である。
【図３】第１の実施の形態における撮影光学系の近点から遠点までのフォーカス調整における、静電型の第１の可変形状ミラーＡの形状例を示す図である。
【図４】第１の実施の形態における撮影光学系のズーム比調整時及びフォーカス調整時に、静電型の第１及び第２の可変形状ミラーＡ，Ｂに印加される電圧の特性曲線を示す図である。
【図５】第１の実施の形態におけるファインダ光学系のズーム比調整時の各ズーム比における、電磁駆動型の第３及び第４の可変形状ミラーＣ，Ｄの形状例を示す図である。
【図６】第１の実施の形態におけるファインダ光学系の近点から遠点までのフォーカス調整における、電磁駆動型の第３の可変形状ミラーＣの形状例を示す図である。
【図７】第１の実施の形態におけるファインダ光学系のズーム比調整時及びフォーカス調整時に、電磁駆動型の第３及び第４の可変形状ミラーＣ，Ｄに印加される電流の特性曲線を示す図である。
【図８】第１の実施の形態におけるファインダ光学系のズーム比調整時の各ズーム比における、静電型の第３及び第４の可変形状ミラーＣ，Ｄの形状例を示す図である。
【図９】第１の実施の形態におけるファインダ光学系の近点から遠点までのフォーカス調整における、静電型の第３の可変形状ミラーＣの形状例を示す図である。
【図１０】第１の実施の形態におけるファインダ光学系のズーム比調整時及びフォーカス調整時に、静電型の第３及び第４の可変形状ミラーＣ，Ｄに印加される電圧の特性曲線を示す図である。
【図１１】図１に示した第１の実施の形態に係るデジタルカメラの動作を説明するためのメインルーチンを示すフローチャートである。
【図１２】図１１に示したフローチャートにおける第１のミラー制御１のサブルーチン動作を示すフローチャートである。
【図１３】第１のミラー制御１における撮影光学系用及びファインダ光学系用可変形状ミラー（静電型）へのズーム操作時における通電態様を示すタイミングチャートである。
【図１４】図１１に示したフローチャートにおける第２のミラー制御２のサブルーチン動作を示すフローチャートである。
【図１５】第２のミラー制御２における撮影光学系用及びファインダ光学系用可変形状ミラー（静電型）への保持用通電態様を示すタイミングチャートである。
【図１６】第２のミラー制御２における撮影光学系用及びファインダ光学系用可変形状ミラー（静電型）への保持用通電の他の態様を示すタイミングチャートである。
【図１７】図１１に示したフローチャートにおけるＡＦ制御のサブルーチン動作を示すフローチャートである。
【図１８】本発明の第２の実施の形態に係るデジタルカメラのファインダ部を示すブロック図である。
【図１９】第２の実施の形態において、静電型の可変形状ミラーＣを用いた場合における変形形状に対応するフォーカス調整値と視度調整値との対応関係を示す図である。
【図２０】本発明の第３の実施の形態に係るデジタルカメラのファインダ部を示すブロック図である。
【図２１】第３の実施の形態において、静電型の可変形状ミラーＣを用いた場合における変形形状に対応するフォーカス調整値と視度調整値との対応関係を示す図である。
【図２２】可変形状ミラーの構成例を示す図である。
【図２３】可変形状ミラーの他の構成例を示す図である。
【符号の説明】
１　撮影部
２　自由曲面レンズ
３　撮影用光学系
４　撮像素子
５　第１のミラードライバ
６　第２のミラードライバ
１１　ファインダ部
１２　対物レンズ
１３　視野絞り
１４　ダハプリズム
１５　接眼レンズ
１６　ファインダ光学系
１７　第３のミラードライバ
１８　第４のミラードライバ
１９　瞳
２１　ＣＰＵ
２２　操作部
２３　フラッシュメモリ
２４　撮像回路
２５　ＡＦ回路
２６　ＤＲＡＭ
２７　画像処理回路
２８　画像表示部
２９　メモリカード
３１　ファインダ部
３２　第１のプリズム
３３　第２のプリズム
４１　ファインダ部
４２　入射凹レンズ
４３　移動レンズ群
４４　対物レンズ群
４５　第３のプリズム
４６　第４のプリズム
４７　レンズ駆動部
Ａ　第１の可変形状ミラー
Ｂ　第２の可変形状ミラー
Ｃ　第３の可変形状ミラー
Ｄ　第４の可変形状ミラー
【図１】
2004126086.tif 000003
【図２】
2004126086.tif 000004
【図３】
2004126086.tif 000005
【図４】
2004126086.tif 000006
【図５】
2004126086.tif 000007
【図６】
2004126086.tif 000008
【図７】
2004126086.tif 000009
【図８】
2004126086.tif 000010
【図９】
2004126086.tif 000011
【図１０】
2004126086.tif 000012
【図１１】
2004126086.tif 000013
【図１２】
2004126086.tif 000014
【図１３】
2004126086.tif 000015
【図１４】
2004126086.tif 000016
【図１５】
2004126086.tif 000017
【図１６】
2004126086.tif 000018
【図１７】
2004126086.tif 000019
【図１８】
2004126086.tif 000020
【図１９】
2004126086.tif 000021
【図２０】
2004126086.tif 000022
【図２１】
2004126086.tif 000023
【図２２】
2004126086.tif 000024
【図２３】
2004126086.tif 000025